(57)【要約】【課題】工作機械の工具交換装置において、タレット内部への切粉や切削液の侵入を防ぐカバーを持つ工具交換装置を提供すること。【解決手段】工具を保持するためのグリップが複数設けられたタレットを備え、前記タレットを旋回させて、所望の工具を割り出して工具交換を行う工具交換装置であって、前記タレットの正面を覆う正面カバーと、前記タレットの背面を覆う背面カバーと、を備え、前記正面カバーと前記背面カバーとの間には隙間が形成されており、前記正面カバー及び前記背面カバーは、それぞれその上面において、水平面に対して前記隙間から離れる方向に下がる傾斜面を有する。これにより、ワークを加工する際に発生する切粉や、加工時に用いる切削液が、正面カバーと背面カバーとの間の隙間からタレットの内部に侵入することを防止することが可能となる。【選択図】図１
2015077671.tif 000002
【特許請求の範囲】
【請求項１】
工具を保持するためのグリップが複数設けられたタレットを備え、
前記タレットを旋回させて、所望の工具を割り出して工具交換を行う工具交換装置であって、
前記タレットの正面を覆う正面カバーと、
前記タレットの背面を覆う背面カバーと、を備え、
前記正面カバーと前記背面カバーとの間には隙間が形成されており、
前記正面カバー及び前記背面カバーは、それぞれその上面において、水平面に対して前記隙間から離れる方向に下がる傾斜面を有することを特徴とする工具交換装置。
【発明の詳細な説明】
【技術分野】
【０００１】
本発明は、工作機械に関し、特にタレット内部への異物の侵入を防ぐカバーを持つ工作機械に関する。
【背景技術】
【０００２】
工作機械の主軸に取り付けられる工具を自動的に交換する工具交換装置が従来から用いられている。この工具交換装置には、作業に必要な複数の工具が予めセットされており、工作機械の主軸に取り付ける工具を、加工状態に応じて指定された工具に自動的に交換するように構成されている。
このような、工具を自動的に交換する自動工具交換装置を備えた工作機械として、特許文献１に開示されているような、工具を把持する複数のグリップを有するタレットを具備するものがある。
【先行技術文献】
【特許文献】
【０００３】
【特許文献１】特開２０１０−９９７６６号公報
【発明の概要】
【発明が解決しようとする課題】
【０００４】
特許文献１に開示されている技術は、複数の工具が装着されたタレットを有し、該タレットを割り出して主軸に装着された工具を交換するため、高速かつ的確に工具の交換を行うことができる。しかしながら、タレットにおいて、タレット前面側とタレットベースとの間は単に間を開けて結合しているのみであるため、加工中に発生する切粉や切削液が、タレットの内部に侵入するおそれがあった。
【０００５】
ワークを加工する際に、切粉や切削液がタレットの内部に侵入することを防止するため、タレットにカバーを設けることがある。図２は、従来技術のカバーを持つ工作機械の概略側面図であり、１は工作機械、２は自動工具交換装置である。自動工具交換装置２は、主軸３と、主軸３を駆動する主軸モータ５を備えており、主軸３の先端部に工具４が取り付けられている。また、主軸３にはＺ軸ボールネジ１０を介してＺ軸モータ１１が接続されており、Ｚ軸モータ１１により主軸３は上下に駆動可能とされている。さらに、工具４を交換するための部材としてタレット６を具備している。
【０００６】
タレット６は、タレット６の内部の図示しない構造部に影響を及ぼさないように、正面カバー６１と背面カバー６２を設けており、正面カバー６１は、タレット６の正面からの切粉や切削液の侵入を防ぐ役割を果たしており、背面カバー６２は、背面からの切粉や切削液の侵入を防ぐ役割を果たしている。
【０００７】
ここで、背面カバー６２の形状によっては、その円筒状部６４の上側（部位Ａ）に切粉や切削液がたまりやすくなってしまうことがある。そして、工具４の交換をする際には、Ｚ軸モータ１１によって主軸３を上下に駆動することになるが、その際に主軸３にはカム７が設けられているため、主軸３を上下に移動する際に、カム７に従うカムフォロア８によりタレット６は揺動動作が行われ、この揺動動作の際に、背面カバー６２の円筒状部６４の上側（部位Ａ）にたまった切粉や切削液が、経路Ｂとして示されたように、正面カバー６１と背面カバー６２との間の隙間６５からタレット６の内部に侵入してしまい、タレット６の内部の構造部に悪影響を及ぼすおそれがある。
【０００８】
そこで本発明は、工作機械の工具交換装置において、タレット内部への切粉や切削液の侵入を防ぐカバーを持つ工具交換装置を提供することを目的とする。
【課題を解決するための手段】
【０００９】
本願の請求項１に係る発明では、工具を保持するためのグリップが複数設けられたタレットを備え、前記タレットを旋回させて、所望の工具を割り出して工具交換を行う工具交換装置であって、前記タレットの正面を覆う正面カバーと、前記タレットの背面を覆う背面カバーと、を備え、前記正面カバーと前記背面カバーとの間には隙間が形成されており、前記正面カバー及び前記背面カバーは、それぞれその上面において、水平面に対して前記隙間から離れる方向に下がる傾斜面を有することを特徴とする工具交換装置が提供される。
【００１０】
請求項１に係る発明では、ワークを加工する際に発生する切粉や、加工時に用いる切削液が、正面カバーと背面カバーに設けられた傾斜に沿って隙間から離れる方向に落下するため、正面カバーと背面カバーとの間の隙間からタレットの内部に侵入することを防止することが可能となる。
【発明の効果】
【００１１】
本発明により、工作機械の工具交換装置において、タレット内部への切粉や切削液の侵入を防ぐカバーを持つ工具交換装置を提供することができる。
【図面の簡単な説明】
【００１２】
【図１】本発明の実施形態のカバーを持つ工作機械の概略側面図である。
【図２】従来技術のカバーを持つ工作機械の概略側面図である。
【００１３】
以下、図面に基づいて本発明の実施形態について説明する。
図１は、本実施形態の工作機械の概略側面図である。図２に示された従来技術との相違点は、背面カバー６２の上面部の形状であり、背面カバー６２の上面部である傾斜面６６が、隙間６５から離れる方向に下がる傾斜を有し、背面カバー６２が円錐台形状とされている。背面カバー６２の上面部の形状をこのように構成することにより、ワークを加工する際に発生する切粉や、ワークを加工する際に用いる切削液は、傾斜面６６に沿って正面カバー６１と背面カバー６２との間の隙間６５とは反対側に誘導される。これにより、切粉や切削液は、正面カバー６１と背面カバー６２との間の隙間６５に侵入することがなく、タレット６の内部に侵入してタレット６内部の図示しない構造部へ影響を与えることを防止できる。
【００１４】
本実施形態においては、背面カバー６２の形状として円錐台形状としたが、円錐台形状に限らず、多角錐台形状であってもよい。また、本実施形態においては、錐形状の稜線である傾斜面６６は直線状としたが、直線状に限ったものではなく、曲線状であってもよく、その場合には傾斜面６６の一部に隙間６５から離れる方向に下がる傾斜を有していればよい。さらに、正面カバー６１についても、本実施形態においては円錐台形状としているが、背面カバー６２と同様に、多角錐台形状としたり、錐形状の稜線である傾斜面を曲線状としたりすることができる。
【符号の説明】
【００１５】
１    工作機械
２    自動工具交換装置
３    主軸
４    工具
５    主軸モータ
６    タレット
６１  正面カバー
６２  背面カバー
６３  工具交換位置
６４  （背面カバーの）円筒状部
６５  隙間
６６  傾斜面
７    カム
８    カムフォロア
９    タレットアーム
１０  Ｚ軸ボールネジ
１１  Ｚ軸モータ
【図１】
2015077671.tif 000003
【図２】
2015077671.tif 000004
【手続補正書】
【提出日】平成27年1月20日(2015.1.20)
【手続補正１】
【補正対象書類名】明細書
【補正対象項目名】０００９
【補正方法】変更
【補正の内容】
【０００９】
本願の請求項１に係る発明では、工具を保持するためのグリップが複数設けられ、所定の揺動中心を中心として揺動動作可能なタレットを備え、前記タレットを旋回させて、所望の工具を割り出して工作機械の主軸に装着された工具の交換を行う工作機械の工具交換装置であって、前記タレットの、前記工作機械の主軸と対向しない側の面を覆う主軸反対側カバーと、前記タレットの、前記工作機械の主軸と対向する側の面を覆う主軸側カバーと、を備え、前記主軸反対側カバー及び前記主軸側カバーは、所定位置におけるそれぞれのカバーの上面が、水平面に対して前記隙間から離れる方向に下がる傾斜面のみで形成されていることを特徴とする工具交換装置が提供される。
【手続補正２】
【補正対象書類名】明細書
【補正対象項目名】００１０
【補正方法】変更
【補正の内容】
【００１０】
請求項１に係る発明では、ワークを加工する際に発生する切粉や、加工時に用いる切削液が、正面カバーと背面カバーに設けられた傾斜に沿って隙間から離れる方向に落下するため、揺動動作時に正面カバーと背面カバーとの間の隙間からタレットの内部に侵入することを防止することが可能となる。
【手続補正３】
【補正対象書類名】特許請求の範囲
【補正対象項目名】全文
【補正方法】変更
【補正の内容】
【特許請求の範囲】
【請求項１】
工具を保持するためのグリップが複数設けられ、所定の揺動中心を中心として揺動動作可能なタレットを備え、
前記タレットを旋回させて、所望の工具を割り出して工作機械の主軸に装着された工具の交換を行う工作機械の工具交換装置であって、
前記タレットの、前記工作機械の主軸と対向しない側の面を覆う主軸反対側カバーと、
前記タレットの、前記工作機械の主軸と対向する側の面を覆う主軸側カバーと、を備え、
前記主軸反対側カバー及び前記主軸側カバーは、所定位置におけるそれぞれのカバーの上面が、水平面に対して前記隙間から離れる方向に下がる傾斜面のみで形成されていることを特徴とする工具交換装置。